(57)【要約】本発明は、脊椎動物の臓器の少なくとも一部における血液循環発生装置（１）に関しており、第一の人工キャビティ（１１）と第二の人工キャビティ（１２）とを含み、前記キャビティはそれぞれ、ガスの作用によって鼓動することができる柔軟な膜（２１）、（２２）を含み、前記膜のそれぞれは血液循環室（３１）、（３２）と前記ガスを含む室（４１）、（４２）とを密閉して分け、該装置は、−低圧力の第一のガスバッファタンク（５１）、−高圧力の第二のガスバッファタンク（５２）、−ガス分配手段（６）、−空圧ポンプ（７）を含む。【選択図】図１
2022500121.tif 000002
【特許請求の範囲】
【請求項１】
脊椎動物の臓器の少なくとも一部における血液循環発生装置（１）であって、第一の人工キャビティ（１１）と第二の人工キャビティ（１２）とを含み、前記キャビティがそれぞれ、ガスの作用によって鼓動することができる柔軟な膜（２１）、（２２）を含み、前記膜のそれぞれが、血液循環室（３１）、（３２）と前記ガスを含む室（４１）、（４２）とを密閉して分ける血液循環発生装置であって、該装置が、
−第一の圧力、いわゆる低圧力にほぼ至らせることを目的とした第一のガスバッファタンク（５１）および、前記第一の圧力を超える第二の圧力いわゆる高圧力にほぼ至らせることを目的とした第二のガスバッファタンク（５２）、
−前記第一および第二の人工キャビティの前記ガスを含む室と前記第一および第二のバッファタンクとに結ばれるガス分配手段（６）であって、前記第一のキャビティおよび前記第二のキャビティの血液循環室内の予め決定される血液流量値を確保するために、前記ガスを含む前記室内へのガスの注入と前記ガスを含む前記室からのガスの排出とを交互に行うように案配されるガス分配手段、
−前記第一のバッファタンクと前記第二のバッファタンクとの間に取り付けられる電力供給される空圧ポンプ（７）であって、前記第一のタンク内のガスを吸引して前記第二のタンク内にそれを注入することを目的とした空圧ポンプ、
を含むことを特徴とする血液循環発生装置。
【請求項２】
前記第一および第二の人工キャビティと、前記第一および第二のガスバッファタンクと、前記ガス分配手段と、前記空圧ポンプとが、一体型ユニットを形成することを特徴とし、また血液循環発生装置がさらに前記ポンプ（７）と前記ガス分配手段（６）との電力供給用バッテリーを含むことを特徴とする、請求項１に記載の血液循環発生装置（１）。
【請求項３】
前記ポンプ（７）がベーンポンプ（７０）であることを特徴とする、請求項１または２に記載の血液循環発生装置（１）。
【請求項４】
前記ガス分配手段（６）が、少なくとも１つの圧電スイッチ、および／または少なくとも１つの形状記憶スイッチ、および／または少なくとも１つの電磁スイッチを含むことを特徴とする、請求項１から３のいずれか一つに記載の血液循環発生装置（１）。
【請求項５】
前記ガスが空気であることを特徴とする、請求項１から４のいずれか一つに記載の血液循環発生装置（１）。
【請求項６】
前記ガス分配手段（６）が、４つの経路と２つのポジションとを有する分配器（６０）を含むことを特徴とする、請求項１から５のいずれか一つに記載の血液循環発生装置（１）。
【請求項７】
前記分配器（６０）が、弁付き分配器および／またはパイロット操作スライド弁付き分配器であることを特徴とする、請求項６に記載の血液循環発生装置（１）。
【請求項８】
血液循環発生装置が、患者の心膜腔内に植え込まれることを目的としまた前記患者の左心室および右心室の切除後にそれらに代わることができる完全人工心臓を形成し、第一および第二のキャビティ（１１）、（１２）が、二心室ユニットを形成し、第一の人工キャビティ（１１）の血液循環室（３１）が、前記患者の左心房と大動脈とに結ばれることを目的とし、また第二の人工キャビティ（１２）の血液循環室（３２）が、前記患者の右心房と肺動脈とに結ばれることを目的としていることを特徴とする、請求項１から７のいずれか一つに記載の血液循環発生装置（１）。
【請求項９】
血液循環発生装置が、前記臓器の体外灌流回路を形成し、移植のために前記臓器の生存の維持を可能にすることを特徴とする、請求項１から７のいずれか一つに記載の血液循環発生装置（１）。
【請求項１０】
血液循環発生装置が、ただ一つだけの空圧ポンプ（７）を含むことを特徴とする、請求項１から９のいずれか一つに記載の血液循環発生装置（１）。
【発明の詳細な説明】
【技術分野】
【０００１】
本発明の分野は、医療装置および医療機器の設計および製造の分野である。
【０００２】
本発明はより詳細には、脊椎動物の心臓によって従来確保される血液流量を人工的に作り出すことを可能にする機器に関するものである。本発明は特に、脊椎動物の心膜腔内に植え込み可能な医療機器に関しているが、しかし他を排除するものではない。
【背景技術】
【０００３】
本発明の分野において、空圧ポンプの概念を活用する機器および油圧ポンプの概念を活用する機器が知られている。
【０００４】
歴史的に、最初の人工心臓は、空圧ポンプの概念を利用するものであった。これらの人工心臓は、患者の胸郭内に植え込まれるべきものであり、また空気の流れを使って人工心臓を動かすために、空気圧を発生させることができる外部機器が人工心臓に連結される。
【０００５】
この科学技術において、人工心臓は、人工キャビティを含み、それらの内部には柔軟な膜が位置する。膜はその場合、キャビティの中で、血液循環室とガスを含むことを目的とした室とを密閉して分ける。押し出される圧縮空気は、外部機器を人工心臓につなぐ連結用チューブを介して、人工キャビティのそれぞれの中のガスを含むことを目的とした室に供給され、膜ポンプの原理のおかげで血液の流れを発生させる。
【０００６】
このタイプの解決案は、頑丈でありかつ信頼度が高い。
【０００７】
この概念はしかしながら、とりわけ重い外部機器を必要とし、また人工心臓までの体内への空気の配送管の挿入を前提とする。この人工心臓を装着した患者はしたがって、大きな自律性は得られない。
【０００８】
第二のタイプの科学技術によると、油圧駆動装置を組み込む人工心臓が提案された。
【０００９】
この油圧心臓は、擬人化設計を有するものであり、空圧科学技術を活用する先に記述された人工心臓と比べて高い自律性を得ることを可能にする。
【００１０】
このタイプの油圧人工心臓は実際に、膜ポンプの着想を再び取り入れるものであり、拍動圧を発生させることを可能にする駆動装置を、人工心臓内に直接組み込む。
【００１１】
このような人工心臓は、脊椎動物の体内に植え込まれる一時的なバッテリーを利用するものであり、また心臓に電気を供給するために体内に無理に入ることを目的とした侵略的な接続器具を前提としないバッテリー再充電用外部装置しか必要としない。
【００１２】
このような装置はしかしながら、空圧科学技術を活用する心臓と比べて、頑丈さおよび信頼度がより低い。
【００１３】
米国特許第４５１６５６７号明細書において記述される解決案がさらに知られており、それは、ただ一つのポンプを用いて作動する完全空圧人工心臓を開示している。該ポンプは、膜のところに空気を注入または吸引し、血液の流れを発生させる。
【００１４】
このような心臓は、心臓の作動サイクルの各サブ周期の際に強く応力を受けることができる高性能のポンプを必要とするという不都合を有し、ポンプは、膜の方へ移動するまたは膜から移動する流体量を、直接、注入／吸引する。
【先行技術文献】
【特許文献】
【００１５】
【特許文献１】米国特許第４５１６５６７号明細書
【発明の概要】
【発明が解決しようとする課題】
【００１６】
本発明はとりわけ、先行技術のこれらの不都合を解決することを目的とする。
【００１７】
本発明はとりわけ、油圧心臓の概念を活用する先行技術の解決案よりも頑丈でかつより信頼度が高い血液循環発生装置を提案することを目的とする。
【００１８】
本発明はまた、エネルギーをあまり消費しない、そのような血液循環発生装置を提供することも目的とする。
【００１９】
本発明はまた、空圧ポンプの概念を活用する先行技術による解決案よりも嵩張らない、そのような装置を提供することも目的とする。
【００２０】
本発明はより具体的には、非常に小さいので、脊椎動物の胸郭内に植え込まれることを目的とした完全人工心臓の中に容易に組み入れられることのできる、そのような解決案を提供することを目的とする。
【課題を解決するための手段】
【００２１】
これらの目的、ならびに後で明らかになるであろう他の目的は、脊椎動物の臓器の少なくとも一部における血液循環発生装置であって、第一の人工キャビティと第二の人工キャビティとを含み、前記キャビティがそれぞれ、ガスの作用によって鼓動することができる柔軟な膜を含み、前記膜のそれぞれが、血液循環室と前記ガスを含む室とを密閉して分ける血液循環発生装置であって、該装置が、
−第一の圧力、いわゆる低圧力にほぼ至らせることを目的とした第一のガスバッファタンクおよび、前記第一の圧力を超える第二の圧力いわゆる高圧力にほぼ至らせることを目的とした第二のガスバッファタンク、
−前記第一および第二の人工キャビティの前記ガスを含む室と前記第一および第二のバッファタンクとに結ばれるガス分配手段であって、前記第一のキャビティおよび前記第二のキャビティの血液循環室内の予め決定される血液流量値を確保するために、前記ガスを含む前記室内へのガスの注入と前記ガスを含む前記室からのガスの排出とを交互に行うように案配されるガス分配手段、
−前記第一のバッファタンクと前記第二のバッファタンクとの間に取り付けられる電力供給される空圧ポンプであって、前記第一のタンク内のガスを吸引して前記第二のタンク内にそれを注入することを目的とした空圧ポンプ、
を含むことを特徴とする血液循環発生装置を対象とする本発明のおかげで達成される。
【００２２】
本発明による発生装置のおかげで、血液循環は、外部機器を使用する先行技術による空圧装置ほど装置が嵩張ることなく、人工的に生成されることができる。本発明による発生装置はまた、先行技術による空圧装置のエネルギー消費量よりもずっと少ないエネルギー消費量を呈することを可能にする。
【００２３】
本発明の原理によると、空圧ポンプは実際に、第一のガスバッファタンクと第二のガスバッファタンクとの間の圧力差を維持することを唯一の役割とする。
【００２４】
このポンプは、先行技術とは違って、各人工キャビティの前記ガスを含む室のところに駆動流体（ここではガス）を直接、注入および吸引することを用途としない。
【００２５】
本発明によると、第一のガスバッファタンクおよび第二のガスバッファタンクが、前記ガスを含む室のところに駆動流体を供給しまたは抜き取り、柔軟な膜を鼓動させて血液循環を作り出すことを可能にする。
【００２６】
したがって、第一のガスバッファタンクと第二のガスバッファタンクとの間の圧力差を発生させるためにただ一つのポンプだけを利用することは、装置が低い総エネルギー消費量、またとりわけ先行技術による空圧装置よりも低い総エネルギー消費量を呈することを可能にする。
【００２７】
言葉を換えれば、第一のガスバッファタンクと第二のガスバッファタンクは、エネルギー貯蔵用の蓄えの役目を果たす。このエネルギーの分配は、前記ガスを含む室を第一のガスバッファタンクと第二のガスバッファタンクとに結ぶガス分配手段によって許可および制御される。
【００２８】
好ましくは、前記第一および第二の人工キャビティと、前記第一および第二のガスバッファタンクと、前記ガス分配手段と、前記空圧ポンプとは、一体型ユニットを形成し、また血液循環発生装置はさらに、前記ポンプと前記ガス分配手段との電力供給用バッテリーを含む。
【００２９】
そうすれば、本発明による発生装置は、少なくとも一時的にそれだけで十分であることができ、装置に連結された単数または複数の臓器に血液を供給するのに有利な自律性を有する。
【００３０】
好ましい一特徴によると、前記ポンプは、ベーンポンプである。
【００３１】
ベーンポンプは、第二のガスバッファタンク内に高圧力を、また第一のガスバッファタンク内においてより低い圧力を発生させるために利用されるものであり、本発明による発生装置が、低い総エネルギー消費量を呈することを可能にするのにとりわけ適合している。
【００３２】
このベーンポンプは、心臓ポンプの運転操作によって消費される流量と内部漏れとの釣り合いをとる。
【００３３】
有利な別の特徴によると、前記ガス分配手段は、少なくとも１つの圧電スイッチ、および／または少なくとも１つの形状記憶スイッチ、および／または少なくとも１つの電磁スイッチを含む。
【００３４】
そのようなガス分配手段は、これらの分配手段を小型化するのにとりわけ適合した解決案を作り上げる。
【００３５】
好ましくは、前記ガスは、空気である。
【００３６】
そのようなガスは、費用がかかるであろうしまた手に入れるのが困難な可能性のある特定のガスの供給を必要とすることなく、装置が正常にかつ単純に作動することを可能にする。
【００３７】
第一の圧力の値と第二の圧力の値とが、患者に応じて調整されることに注目する必要がある。
【００３８】
バッファタンク内の圧力は、患者の要求に対応する血液流量を確保するために、心律動に応じて調節される。
【００３９】
この自動制御は、装置に組み込まれるセンサ経由で電子的に行われる。
【００４０】
前記ガス分配手段は有利には、４つの経路と２つのポジションとを有する分配器を含む。
【００４１】
これらのガス分配手段は、人工キャビティの前記ガスを含む室との、第一のガスバッファタンクと第二のガスバッファタンクとの間のガスの交換を確保することを可能にする。
【００４２】
前記分配器はこの場合好ましくは、弁付き分配器および／またはパイロット操作スライド弁付き分配器である。
【００４３】
第一の好ましい解決案によると、血液循環発生装置は、患者の心膜腔内に植え込まれることを目的としまた前記患者の左心室および右心室の切除後にそれらに代わることができる完全人工心臓を形成し、第一および第二のキャビティは、二心室ユニットを形成し、第一の人工キャビティの血液循環室は、前記患者の左心房と大動脈とに結ばれることを目的とし、また第二の人工キャビティの血液循環室は、前記患者の右心房と肺動脈とに結ばれることを目的としている。
【００４４】
このような完全人工心臓はその場合、先行技術による油圧駆動流体を利用する完全人工臓器の小さい寸法に、空圧インプラントの頑丈さおよび信頼性を兼ね備えることを可能にする。さらに、本発明による完全発生装置の完全人工心臓は、完全に自律的であり得、またガス分配手段と空圧ポンプとを作動させるために少ない電力供給量しか必要としないことが可能である。
【００４５】
第二の好ましい解決案によると、血液循環発生装置は、前記臓器の体外灌流回路を形成し、移植のために前記臓器の生存の維持を可能にする。
【００４６】
本発明による発生装置はその場合実際に、非常に低いエネルギー供給量（およそ１５Ｗ〜２０Ｗ）しか必要としない、先行技術において知られている人工器具より嵩張らない、とりわけ小型の人工器具のおかげで、体外血液循環を確保することを可能にする。
【００４７】
上に記述されてきたような血液循環発生装置は好ましくは、ただ一つだけの空圧ポンプを含む。
【００４８】
本発明の他の特徴および利点は、説明に役立つ非制限例として与えられる本発明の好ましい一実施形態の後続の説明および以下のような付属の図面を読むことにより、よりはっきりと明らかになるであろう。
【図面の簡単な説明】
【００４９】
【図１】本発明による血液循環発生装置の概略図であって、該図において、前記ガスを含む室は第二のガスバッファタンク（高圧力）に結ばれており、血液循環室の体積はそのとき小さい。
【図２】同じ血液循環発生装置の概略図であって、該図において、前記ガスを含む室は第一のガスバッファタンク（低圧力）に結ばれており、血液循環室の体積はそのとき大きい。
【発明を実施するための形態】
【００５０】
図１および図２を参照して、血液循環発生装置１は、脊椎動物の臓器の少なくとも一部において血液の流れを人工的に発生させることを可能にする。装置１はより具体的には、以下のような、血液の流れの２つの循環回路において血液の流れを発生させることを可能にする：
−血液の流れの第一の循環回路Ｃ１、
−血液の流れの第二の循環回路Ｃ２。
【００５１】
後で詳細に説明されるであろうように、血液循環発生装置１は、第一の好ましい解決案によると、完全人工心臓を形成することができる。この場合例えば、血液の流れの第一の循環回路Ｃ１は、脊椎動物の体に酸素を含んだ血液を供給する身体構造上の循環回路に相当し、また血液の流れの第二の循環回路Ｃ２は、血液に酸素を供給することを目的とした別の身体構造上の循環回路に相当する（この別の循環回路は、脊椎動物の肺をとりわけ組み込んでいる）。
【００５２】
第二の好ましい解決案によると、血液循環発生装置１は、臓器の体外血液循環回路を形成することができる。この場合、血液の流れの第一の循環回路Ｃ１または血液の流れの第二の循環回路Ｃ２のうちの少なくとも１つはそのとき、臓器につながれて臓器に血液を供給する。
【００５３】
図１および図２によって示されるように、血液循環発生装置１は、以下を含む：
−第一の人工キャビティ１１、
−第二の人工キャビティ１２、
−第一のガスバッファタンク５１、
−第二のガスバッファタンク５２、
−第一の人工キャビティ１１と第二の人工キャビティ１２とを、第一のガスバッファタンク５１と第二のガスバッファタンク５２とにつなぐガス分配手段６、
−第一のガスバッファタンク５１と第二のガスバッファタンク５２とにつながれる空圧ポンプ７。
【００５４】
第一の人工キャビティ１１および第二の人工キャビティ１２はそれぞれが、ガスの作用によって鼓動させることができる柔軟な膜２１、２２を含む。血液循環発生装置１は実際に、空圧装置であって、血液循環の発生を可能にするための駆動流体としてガスを利用する。このガスは好ましくは空気である。
【００５５】
これらの柔軟な膜２１、２２は、弾性を有し、またそれぞれに第一の人工キャビティ１１そして第二の人工キャビティ１２を、２つの室に分割する。
【００５６】
より具体的には：
−第一の人工キャビティ１１の柔軟な膜２１は、この第一のキャビティ１１の中で、血液循環室３１と前記ガスを含む室４１とを密閉して分ける、
−第二の人工キャビティ１２の柔軟な膜２２は、この第二のキャビティ１２の中で、血液循環室３２と前記ガスを含む室４２とを密閉して分ける。
【００５７】
第一の人工キャビティ１１および第二の人工キャビティ１２は以下もまた含む：
−血液循環室３１、３２の中への血液の注入弁３１２、３２１、
−血液循環室３１、３２からの血液の噴出弁３１１、３２２。
【００５８】
これらの注入弁３１２、３２１およびこれらの噴出弁３１１、３２２は、装置における血液の循環方向を確保することを可能にする。各弁３１１、３１２、３２１、３２２のための特定のセッティングにより、人工キャビティの作動圧力を調節することが可能となる。
【００５９】
先に説明されたように、柔軟な膜２１、２２は、ガスの作用によって鼓動することができる。
【００６０】
柔軟な膜２１、２２はそれぞれ、鼓動することによって、血液循環室３１、３２の体積を変化させる。
【００６１】
血液循環室３１、３２の体積が増えるとき、前記血液循環室３１、３２の中の圧力は低下し、そして噴出弁３１１、３２２の閉鎖ならびに注入弁３１２、３２１の開放を引き起こし、血液循環室３１、３２を血液で満たすことを可能にする。
【００６２】
反対に、血液循環室３１、３２の体積が減るとき、前記血液循環室３１、３２の中の圧力は上昇し、そして注入弁３１２、３２１の閉鎖ならびに噴出弁３１１、３２２の開放を引き起こし、血液循環室の外へ血液を排出することを可能にする。
【００６３】
前記ガスを含む室４１、４２のところでのガスの交換（注入および抽出）は、以下によって確保される：
−ガス分配手段６、
−第一のガスバッファタンク５１、
−第二のガスバッファタンク５２、
−空圧ポンプ７。
【００６４】
第一のガスバッファタンク５１は、第一の圧力、いわゆる低圧力にほぼ至らせることを目的としている。
【００６５】
第二のガスバッファタンク５２に関しては、第二の圧力、いわゆる高圧力にほぼ至らせることを目的としており、第二の圧力は第一の圧力を超える。
【００６６】
例として、第一の圧力は１．１バールに上げられ得、また第二の圧力は１．１５バールに上げられ得る。
【００６７】
空圧ポンプの作動は好ましくは、圧力を上記の限度内に保つために、ガス分配手段によって定義される「心律動」に依存する。
【００６８】
装置１の自動制御はこの場合、装置に組み込まれるセンサを介して電子的に行われる。
【００６９】
図１および図２で示されるように、空圧ポンプ７は、第一のバッファタンク５１と第二のバッファタンク５２との間に取り付けられる。
【００７０】
空圧ポンプ７は、第一のバッファタンク５１内のガスを吸引して、第二のバッファタンク５２内にそれを注入する。空圧ポンプ７はそのようにして、第一のバッファタンク５１をほぼその低圧力に維持すること、また第二のバッファタンク５２をほぼその高圧力に維持することを可能にする。
【００７１】
この空圧ポンプ７は、作動するために、電力供給される。
【００７２】
このポンプは有利には、ベーンポンプ７０である。ベーンポンプは、ステータ（固定）とステータに対して接線方向に回転するロータ（可動）とで構成される、容積式移送ポンプである。ベーンは、ロータに固定されており、遠心力によってステータの内壁と接触するようになるように、ロータの回転軸に直角に、ロータハウジングで摺動することができる。ロータは、遠心力に補足して、ベーンの位置をステータの内壁と接触する位置に戻す手段を、場合によっては有することができる。
【００７３】
空圧ポンプ７は、好ましくはまた図に示されているように、ただ一つである。
【００７４】
ガス分配手段６は、先に説明されたように、第一の人工キャビティ１１、第二の人工キャビティ１２、ならびにバッファタンクにつながれる。ガス分配手段６は、より具体的には、前記ガスを含む室４１、４２と、第一のバッファタンク５１と、第二のバッファタンク５２とに連結される。
【００７５】
これらのガス分配手段６は、人工キャビティの血液循環室内の予め決定される血液流量値を確保するために、前記ガスを含む室４１、４２内へのガスの注入と前記ガスを含む室４１、４２からのガスの抽出とを交互に行うように案配される。
【００７６】
言葉を換えれば、ガス分配手段６（ならびにバッファタンク）は、前記ガスを含む室４１、４２の圧力を、柔軟な膜２１、２２の弾性変形のおかげでこれらの室の体積の拡大または減少を引き起こすように修正することを可能にする。
【００７７】
前記ガスを含む室の体積の反復的な変化は、血液循環室３１、３２の体積の反復的な変化を力学的に導く。
【００７８】
血液循環室３１、３２の体積のこの変化はまた、これらの室の中の血液の圧力の変化ともなって現れる。
【００７９】
ガス分配手段６はしたがって、ガスの注入および抽出を交互に行いながら、先に記述された注入弁３１２、３２１および噴出弁３１１、３２２のおかげで血液循環室３１、３２内に血液を吸い上げまたこれらの血液循環室３１、３２から血液を排出することによって血液の流れを作り出すことを可能にする。
【００８０】
ガス分配手段６は好ましくは、少なくとも１つの圧電スイッチ、および／または少なくとも１つの形状記憶スイッチ、および／または少なくとも１つの電磁スイッチを含む。
【００８１】
図１および図２によって示されているように、ガス分配手段６は、４つの経路と２つのポジションとを有する分配器６０を含む。分配器６０は、パイロット操作スライド弁付き分配器６０、あるいはまた弁付き分配器であり得る。
【００８２】
図１を参照して、分配器６０は実際に第一のポジションを採用しており、該ポジションにおいて、第二のバッファタンク５２（高圧力）は、第一の人工キャビティ１１の前記ガスを含む室４１ならびに第二の人工キャビティ１２の前記ガスを含む室４２に通じている。第二のバッファタンク５２内に位置する高圧下のガスはこの場合、前記ガスを含む室４１、４２内に注入される。
【００８３】
分配器６０が図２によって示されているようなその第二のポジションに移った後、第二のバッファタンク５２は、もはや前記ガスを含む室４１、４２に通じていない。前記ガスを含むこれらの室４１、４２は実際にそのとき、第一のバッファタンク５１（低圧力）およびガスに通じている。
【００８４】
本実施形態によると、前記ガスを含む室４１、４２は、第一のバッファタンク５１または第二のバッファタンク５２に同時に通じている。血液循環室３１、３２はしたがって、同期して満たされまた血液を排出する。
【００８５】
考えられる別の実施形態によると、分配器は、血液循環室３１、３２の血液の充填および排出を不同期にするように、かつ／または各人工キャビティの間で異なるリズムでこれらの充填または排出を行うように設定され得る。
【００８６】
好ましくは、第一および第二の人工キャビティ１１、１２と、第一および第二のガスバッファタンク５１、５２と、ガス分配手段６と、空圧ポンプ７とは、一体型ユニットを形成する。
【００８７】
血液循環発生装置１はまた、腹腔内に取り付けられることを目的とした、空圧ポンプ７とガス分配手段６との電力供給用バッテリーを含む。このバッテリーの再充電は、経皮的誘導によって行われる。
【００８８】
先に言及されたように、血液循環発生装置１は、完全人工心臓を形成し得る。装置１はこの場合、患者の心膜腔内に植え込まれることを目的としている。装置１はその場合、患者の心室（左心室および右心室）に代わることを可能にする。第一の人工キャビティ１１および第二の人工キャビティ１２はこのように、二心室ユニットを形成し、第一の人工キャビティ１１の血液循環室３１はその場合、患者の左心房と大動脈とに結ばれ、また第二の人工キャビティ１２の血液循環室３２はその場合、患者の右心房と肺動脈とに結ばれる。
【００８９】
完全人工心臓の作動サイクルの展開例は、以下に詳説される。
【００９０】
心収縮は、血液循環回路Ｃ１、Ｃ２の方への、血液循環室（人工心室）の収容血液の噴出に相当する。
【００９１】
心拡張は、血液循環回路Ｃ１、Ｃ２内の収容血液（左心房および右心房から来る血液）の、血液循環室３１、３２内への注入（人工心室内への血液の吸引）に相当する。
【００９２】
心拡張から心収縮への移行およびその逆は、血液循環室３１、３２の中の圧力の段階的変化の修正（圧力の上昇および低下）となって現れ、また注入弁３１２、３２１の状態と噴出弁３１１、３２２の状態の変化となって現れる。
【００９３】
心拡張から心収縮への移行の際に、噴出弁３１１、３２２（大動脈弁および肺動脈弁）は、閉じた状態から開いた状態となり、また注入弁３１２、３２１（房室弁）は、開いた状態から閉じた状態となる。
【００９４】
心収縮から心拡張への移行の際に、噴出弁３１１、３２２（大動脈弁および肺動脈弁）は、開いた状態から閉じた状態となり、また注入弁３１２、３２１（房室弁）は、閉じた状態から開いた状態となる。
【００９５】
心収縮の最初の状態で、前記ガスを含む室４１、４２はそれぞれが、およそ０．１０７バールの圧力を伴うおよそ５ｍＬの体積を有し、血液循環室３１、３２（人工心室）は血液で満たされており、分配器６０は転換されて、前記ガスを含む室４１、４２は、第二のバッファタンク５２（高圧力）に接続されたばかりである。
【００９６】
前記ガスを含む室４１、４２内の圧力は上昇して、弾性の膜２１、２２の変形を引き起こす。前記ガスを含む室内の圧力は、とりわけ０．１６０バールまで上昇する。
【００９７】
血液循環室３１、３２は空になり、そして血液は、血液循環回路Ｃ１、Ｃ２（臓器および肺）の方へ送られる。
【００９８】
心拡張の最初の状態で、前記ガスを含む室はそれぞれが、およそ０．１６０バールの圧力を伴うおよそ１３０ｍＬの体積を有し、血液循環室３１、３２（人工心室）には血液がなく（または最も低い血液レベルであり）、分配器は転換されて、前記ガスを含む室４１、４２は、第一のバッファタンク５１（低圧力）に接続されたばかりである。
【００９９】
前記ガスを含む室４１、４２内の圧力は低下して（その場合０．１０７バールに戻りつつあり）、弾性の膜２１、２２の変形を引き起こし、血液循環室３１、３２の体積の増加を導く。
【０１００】
血液循環室３１、３２（人工心室）は、満たされる。
【０１０１】
本発明による装置１は、血液循環室（人工心室）が、一定の圧力、すなわち平均して以下の圧力で満たされるように設定される：
−第一の人工キャビティ１１（人工左心室）の血液循環室について０．０１２バール、
−第二の人工キャビティ１２（人工右心室）の血液循環室について０．００５バール。
【０１０２】
心拡張が終わると、心収縮と心拡張のサイクルはそのとき、再開することができる。
【符号の説明】
【０１０３】
１  血液循環発生装置
６  ガス分配手段
７  空圧ポンプ
１１  第一の人工キャビティ
１２  第二の人工キャビティ
２１、２２  膜
３１、３２  血液循環室
４１、４２  ガスを含む室
５１  第一のガスバッファタンク
５２  第二のガスバッファタンク
６０  分配器
７０  ベーンポンプ
３１２、３２１  注入弁
３１１、３２２  噴出弁
Ｃ１、Ｃ２  血液循環回路
【図１】
2022500121.tif 000003
【図２】
2022500121.tif 000004
【国際調査報告】
2022500121.tif 000005
2022500121.tif 000006
2022500121.tif 000007
2022500121.tif 000008